(57)【要約】【課題】防護本体の材料に発泡スチロール、発泡ポリエチレン又は発泡ウレタンを用い、軽量な防護盾として比較的力の弱い子供や女性・老人等も容易に取り扱うことを可能とする。また、発泡スチロール、発泡ポリエチレン又は発泡ウレタンの有する一定の弾性により、刃物等の凶器で突かれれば突き刺さるが比較的引き抜きにくくするとともに、突き刺しや打撃によって防護盾に加えられる衝撃を吸収可能とする。また、これらの材料は安価な素材であるため、従来の金属製の盾に比べて防護盾の製造コストを安く抑えられる。【解決手段】発泡スチロール材、発泡ポリエチレン材又は発泡ウレタン材にて形成した防護本体２の一面又は外周端面に一個又は複数個の取手３を形成する。そしてこの取手３を保持して加害者側に防護本体２を対面できるようにする。【選択図】図１
2006258412.tif 000002
【特許請求の範囲】
【請求項１】
発泡スチロール材、発泡ポリエチレン材又は発泡ウレタン材にて形成した防護本体の一面又は外周端面に一個又は複数個の取手を形成し、この取手を保持して加害者側に防護本体を対面できるようにしたことを特徴とする防護盾。
【請求項２】
発泡スチロール材、発泡ポリエチレン材又は発泡ウレタン材にて形成した防護本体の内部に防護液体の収納部を形成し、この防護本体の一面又は外周端面に一個又は複数個の取手を形成して成り、この取手を保持して加害者側に防護本体を対面できるようにするとともに、凶器の突刺により外部から発泡スチロールを突き抜けて収納部が破損した場合に防護液体が外部へ噴出可能としたことを特徴とする防護盾。
【請求項３】
取手は、楕円状とし、これを防護本体に貫通させて形成することを特徴とする請求項１又は２の防護盾。
【請求項４】
取手は、一本の棒状とし、これを防護本体に貫通させて形成することを特徴とする請求項１又は２の防護盾。
【請求項５】
取手は、防護本体に凹部を形成して成ることを特徴とする請求項１又は２の防護盾。
【請求項６】
収納部は、発泡スチロール、発泡ポリエチレン又は発泡ウレタン製の防護本体とは別個に設けた樹脂材にて形成することを特徴とする請求項２の防護盾。
【請求項７】
防護液体は、接着剤、催涙剤、発臭剤、発色剤のいずれか一つ又はこれらの組み合わせであることを特徴とする請求項２の防護盾。
【請求項８】
防護液体は、収納部に加圧して収納し、防護液体が防護本体外に噴出する際にはこの防護液体に加えられた圧力によって噴出可能とすることを特徴とする請求項２又は７の防護盾。
【発明の詳細な説明】
【技術分野】
【０００１】
本発明は刃物等の凶器を用いた生命・身体に対する急迫な侵害から人体を保護する防護盾に関するものである。
【背景技術】
【０００２】
刃物等の凶器を用いた生命・身体に対する急迫な侵害に対し、学校や金融機関などで特別な訓練を受けたことのない者が、安全に生命・身体を守れるような防犯対策が従来より望まれている。
【０００３】
従来より、これらの急迫な侵害に対しては盾を使った対応が有効で、一部の防犯専門家の間では用いられている。しかし、従来の防護盾は警察官などの特別の訓練を受けた者が用いることを想定したものである。そして、これらの多くは鉄やステンレス、また特許文献１に示す如くチタン、チタン合金といった金属製からなり、相当程度の重量があるため、訓練を受けた者でなければ容易に扱うことは困難であった。また、製品が高価なものとなり、学校や金融機関等の一般の場所に広く普及させることは困難なものであった。
【０００４】
【特許文献１】特開平６−２２１７９７号公報
【発明の開示】
【発明が解決しようとする課題】
【０００５】
上述の如く、従来の防護盾は訓練を受けていない一般人が使用するのは困難で、特に子供・女性・老人等には使用不能であった。また、従来の防護盾は、凶器を弾くという金属の一般的性質を利用したものであったため、防護盾で弾いても依然として相手が凶器を所持したままとなり、危険は除去できない。さらには盾で凶器を弾いた場合の衝撃は使用者に直接伝わることとなり、この衝撃を受け止めるのはやはり一般人には困難である。
【０００６】
そこで本発明は、上述の如き課題を解決しようとするものであって、防護盾を軽量化し、特別の訓練を受けていない一般人、特に子供・女性・老人等でも比較的容易に取り扱うことができるとともに、刃物等の凶器で突かれた場合に防護盾内に凶器を突き刺し可能とし、突き刺した凶器を防護盾内に突き刺した状態で保持することを可能とする。また、加害者による打撃等の攻撃の衝撃を防護盾で吸収し使用者を保護することを可能とする。さらに、低コストで製品化することを可能とし、一般の場所に広く普及させることを可能とするものである。
【課題を解決するための手段】
【０００７】
本発明は、上述の如き課題を解決するため、第１の発明は、発泡スチロール材、発泡ポリエチレン材又は発泡ウレタン材にて形成した防護本体の一面又は外周端面に一個又は複数個の取手を形成し、この取手を保持して加害者側に防護本体を対面できるようにしたものである。
【０００８】
また、第２の発明は、発泡スチロール材、発泡ポリエチレン材又は発泡ウレタン材にて形成した防護本体の内部に防護液体の収納部を形成し、この防護本体の一面又は外周端面に一個又は複数個の取手を形成して成り、この取手を保持して加害者側に防護本体を対面できるようにするとともに、凶器の突刺により外部から発泡スチロールを突き抜けて収納部が穿孔した場合に防護液体が外部へ噴出可能としたものである。
【０００９】
また、取手は、楕円状とし、これを防護本体に貫通させて形成してもよい。
【００１０】
また、取手は、一本の棒状とし、これを防護本体に貫通させて形成してもよい。
【００１１】
また、取手は、防護本体に凹部を形成してもよい。
【００１２】
また、収納部は、発泡スチロール、発泡ポリエチレン又は発泡ウレタン製の防護本体とは別個に設けた樹脂材によって形成してもよい。
【００１３】
また、防護液体は、接着剤、催涙剤、発臭剤、発色剤のいずれか一つ又はこれらの組み合わせであってもよい。
【００１４】
また、防護液体は、収納部に加圧して収納し、防護液体が防護本体外に噴出する際にはこの防護液体に加えられた圧力によって噴出可能としてもよい。
【発明の効果】
【００１５】
本発明においては、防護本体の材料に発泡スチロール、発泡ポリエチレン又は発泡ウレタンを用いることにより、軽量な防護盾として比較的力の弱い子供や女性、老人等も容易に取り扱うことが可能となる。したがって、家庭・学校・金融機関などに常備しておくことで、緊急事態が発生してもこれらの者が迅速に利用可能である。
【００１６】
そして、発泡スチロール、発泡ポリエチレン又は発泡ウレタンは面圧が高く、軽量でありながら一定の厚みを有する場合は破損のしにくい強固な素材として用いることができ、防護盾の如く強い衝撃が加えられるものについても十分な強度を保持するものである。
【００１７】
また、発泡スチロール、発泡ポリエチレン又は発泡ウレタンは一定の弾性を備えるため、刃物等の凶器で突かれれば突き刺さるが、比較的引き抜きにくいものとなり、凶器を防護盾に固定して加害者から取り上げることも可能となるとともに、突き刺しや打撃によって凶器から防護盾に加えられる衝撃を吸収することも可能となる。
【００１８】
また、発泡スチロール、発泡ポリエチレン又は発泡ウレタンは安価な素材であるため、従来の金属製の盾に比べて防護盾の製造コストを安く抑えられる。したがって、家庭・学校・金融機関等の一般の場所に広く普及させることが可能となる。
【００１９】
また、第２発明においては、発泡スチロール材、発泡ポリエチレン材又は発泡ウレタン材にて形成した防護本体の内部に防護液体の収納部を形成することによって、刃物等の凶器の突刺により外部から発泡スチロール、発泡ポリエチレン又は発泡ウレタンを貫通して収納部が穿孔された場合に、防護液体が外部へ噴出可能となる。したがって、該防護液体の噴射を受けた加害者を怯ませたり、加害行為を減少させたり、加害者の逃走後も、臭い、色等を加害者に付着させ、追跡を容易とすることができる。
【００２０】
また、刃物等の凶器で突き刺した場合以外の、例えば棒状の凶器による打撃を受けた場合であっても、発泡スチロール、発泡ポリエチレン又は発泡ウレタンが破断され収納部が亀裂を生じるなどの破損をすれば該亀裂から防護液体が噴出するため、加害者に防護液体を噴射可能となる。
【実施例１】
【００２１】
以下、本願第１発明に対応する実施例１を図１に於いて説明すれば、（１）は防護盾で防護本体（２）と取手（３）から構成される。この防護本体（２）の材料には発泡スチロールを用いる。発泡スチロールは金属と比較して安価で軽量である。そして面圧が高く、一定の弾性を有する特性を備えている。したがって、発泡スチロールで防護本体（２）を形成することにより防護盾（１）の軽量化を図ることが可能となるから、子供・女性・老人等でも使用が可能となる。また、安価なために、発泡スチロール製の防護盾（１）を家庭・学校・金融機関等の一般の場所に広く普及することが可能となる。
【００２２】
発泡スチロール製の防護本体（２）は、刃物等の凶器（４）が防護本体（２）に突き刺さっても貫通せず、棒等の凶器（４）による打撃を受けた場合でも容易に破断等することがなく、かつ、取り扱いに支障が出ない程度の厚さで構成する必要がある。一実施例では２０〜１００ｃｍ程度の厚さとすることが好ましい。２０ｃｍよりも薄いと凶器（４）による攻撃によって貫通・破断等の可能性があり、１００ｃｍより厚いと取り扱いに支障が出る可能性がある。
【００２３】
また、防護本体（２）は少なくとも使用者の胴体が隠れる程度の大きさが好ましい。即ち、あまりに小さく構成しても加害者の攻撃を防ぎ得ないことから盾としての役割を果たせず、逆に大きすぎても加害者を視認できなくなる等の取り扱いに支障があることから、一実施例としては、高さ３０〜１５０ｃｍ程度、幅３０〜１２０ｃｍ程度の構成とすることが好ましい。
【００２４】
また、防護本体（２）の形状は、一実施例では図１に示す如く角形立方体とし、使用者が保持するための取手（３）を一面又は外周端面に一個又は複数個設ける。この取手（３）は、取り扱いが容易となるような任意の形状で形成し、使用者が防護本体（２）を加害者側に対面して保持できる位置に設けることが必要である。一実施例では、図１に示す如く半円状の取手（３）を防護本体（２）の両側端面に固定して設ける。なお、取手（３）は、防護盾（１）の使用時に使用者が強く握り締める等しても容易に壊れない材質からなる物であればよく、金属、プラスチック、布等を用いることが可能である。
【００２５】
使用者はこの取手（３）を保持して加害者に対面するが、図１に示す如く刃物等の凶器（４）が防護本体（２）に突き刺さると、発泡スチロールの有する弾性によって凶器（４）は防護本体（２）から抜けにくくなり、この間に他者が加害者を攻撃したり、凶器（４）を防護本体（２）に突き刺したまま加害者から取り上げることも可能となる。また、防護盾（１）を保持した複数の者が、保持する防護盾（１）を押し出す形で一斉に加害者を取り囲むように詰め寄り、加害者を圧迫して行動不能に陥れ、身柄を確保すること等も可能なものである。また、複数の防護盾（１）を積み重ねて床に置いたり、複数の者が各々防護盾（１）を保持して並び、バリケードを形成する等して加害者に対する障害物とすることも可能なものである。
【００２６】
また、刃物等の凶器（４）を刺した際の使用者に与える衝撃は、凶器（４）が発泡スチロール製の防護本体（２）に突き刺さることによって軽減されるため、使用者を攻撃による衝撃から保護することも可能である。また、凶器（４）が刃物のように突き刺さる性質を有さない、棒等であった場合にも、使用者が受ける衝撃は発泡スチロールの有する弾性によって軽減されるため、使用者は攻撃による衝撃から保護される。
【実施例２】
【００２７】
また、防護本体（２）には図２に示す如く任意の外装カバー（５）を装着してもよい。外装カバー（５）を装着させることにより防護本体（２）の強度を増すことが可能である。この外装カバー（５）は丈夫な布等、刃物等の凶器（４）による突き刺しは可能であるが容易に破断しない材質であることが好ましい。また、外装カバー（５）の加害者に対面させる面には加害者を威嚇するような図柄を描くことも可能である。
【実施例３】
【００２８】
また、第３実施例は、発泡スチロールを円柱形に形成して防護本体（２）とし、直径７０ｃｍ、高さを１５０ｃｍとして、使用者の全身あるいは首から下を覆うことができる程度の大きさに構成した防護盾（１）である。このように円柱状で高さを大きく取れば、場合によっては加害者を円柱状の防護本体（２）で打撃することや、先端を加害者に向けて水平に保つことにより加害者との距離を角形立方体の場合よりも大きく取ることが可能となり、使用者は安全に加害者と対面できるものとなる。また、上記実施例１では防護本体（２）は図１に示す如く薄肉な発泡スチロールを複数枚重合させて構成しているが、本実施例では、図３に示す如く肉厚な発泡スチロール１枚で構成している。
【００２９】
また、本実施例では図３に示す如く、取手（３）を、楕円状に形成した一本の環状体の部材を防護本体（２）に埋め込み貫通することにより構成している。取手（３）をこのように構成すると防護本体（２）内部に二本の支柱を有することとなり、この二本の支柱によって防護本体（２）を支えることから防護本体（２）の強度が増強される。したがって、加害者の攻撃で防護盾（１）が強い衝撃を受けた場合であっても、使用者がこれに耐え得るように保持することが可能である。
【実施例４】
【００３０】
また、第４実施例においては、図４に示す如く取手（３）を一本の棒状とし、これを防護本体（２）に埋め込み貫通することにより構成している。このように構成することにより、実施例３の如く取手（３）を楕円状に形成する場合よりも容易で廉価に取手（３）を製造することができる。
【実施例５】
【００３１】
また、第５実施例においては、図５に示す如く防護本体（２）の使用者が保持しやすい任意の位置に凹部を形成することにより取手（３）を構成することも可能である。これにより、別に製造した取手（３）を防護本体（２）に取り付ける場合に比べてより安価に防護盾（１）を構成することが可能となる。
【実施例６】
【００３２】
本願第２発明に対応する実施例６を図６及び図７に於いて説明すれば、本実施例６の防護盾（１）も、前記実施例１乃至５と同様に防護本体（２）及び取手（３）から成るが、防護本体（２）の内部に収納部（６）を形成する。この収納部（６）にはゴム製の収納袋（８）を配置し、この収納袋（８）に防護液体（７）を加圧して注入する。そして、防護液体（７）には接着剤、催涙剤、発臭剤、発色剤のいずれか一つ又はこれらを組み合わせたものを用いる。接着剤、催涙剤、発臭剤を注入した場合には、これらを加害者に噴射した際に加害者が怯んだり、加害行為を減少させるために有効なものとなる。また、発臭剤、発色剤を注入した場合には、これらを噴射された加害者が逃走しても、加害者に付着した匂い又は色によって容易に加害者を識別でき、その追跡が容易となる。
【００３３】
また、防護液体（７）を加圧して収納することによって、刃物等の凶器（４）が防護本体（２）の発泡スチロールを貫通して収納部（６）に収納してある収納袋（８）が穿孔された場合には、防護液体（７）に加えられている圧力によって防護液体（７）は勢いよく外部に噴出し、加害者に防護液体（７）を確実に噴射することが可能となる。
【００３４】
また、収納部（６）の厚さは図７に示す如く薄く幅広に形成するのが好ましい。薄く幅広に形成することにより、少量の防護液体（７）を防護本体（２）の全体に広く配置することができ、加害者が防護本体（２）のいずれの場所を突いても防護液体（７）の噴射が可能であるし、防護本体（２）の軽量化を可能とし、子供・女性・老人等が容易に取り扱うことを可能とする。
【００３５】
また、収納袋（８）は本実施例ではゴム製としているが、注入する防護液体（７）によって溶解せず、かつ刃物等の凶器（４）によって突き刺せば穿孔する素材であればよく、他の異なる実施例に於いてはナイロン等で形成することが可能である。また、収納袋（８）は防護本体（２）を構成する発泡スチロールを保護するために収納部（６）に収納するものであるため、他の異なる実施例に於いては、注入する防護液体（７）が発泡スチロールを溶解するなどの性質を有さないものであれば、収納部（６）には収納袋（８）を収納せず、収納部（６）に防護液体（７）を直接注入することも可能である。
【００３６】
なお、上述の実施例ではいずれも防護本体（２）を形成する素材に発泡スチロール材を用いているが、他の異なる実施例においては、発泡ポリエチレン材又は発泡ウレタン材を用いて防護本体（２）を形成することも可能である。発泡ポリエチレン、発泡ウレタンも発泡スチロールと同様に、軽量で、高い面圧と一定の弾性を備えるものであり、また安価な素材である。
【００３７】
したがって、これらを用いて防護本体（２）を形成すれば、軽量な防護盾（１）とすることができ、比較的力の弱い子供や女性、老人等も容易に取り扱うことができる。また、一定の厚みを有する防護本体（２）を形成すれば、発泡ポリエチレン、発泡ウレタンの有する高い面圧により、棒等の凶器（４）により打撃が加えられてもこれに耐えうる強度を保持することが可能となる。
【００３８】
また、発泡ポリエチレン、発泡ウレタンは一定の弾性を備えるものを用いることにより、発泡スチロールの場合と同様の技術効果を得ることができるものであって、これらを用いた防護本体（２）は、刃物等の凶器（４）で突かれると凶器（４）は突き刺さるが、比較的引き抜きにくいものとすることができる。したがって、凶器（４）を防護盾（１）に突き刺させて固定し、加害者から取り上げることも可能となる。また、突き刺しや打撃によって凶器（４）から防護盾（１）に加えられる衝撃を吸収することも可能となる。さらに、発泡ポリエチレン、発泡ウレタンは上述の如く安価な素材であるため、防護盾（１）を安価に製造でき、したがって家庭・学校・金融機関等の一般の場所に広く普及させることが可能となる。
【図面の簡単な説明】
【００３９】
【図１】本願第１発明の実施例１を示す斜視図。
【図２】防護本体の外周面にカバーを設けた状態の実施例２を示す斜視図。
【図３】取手を楕円状とした防護盾の実施例３を示す正面図。
【図４】取手を棒状とした防護盾の実施例４を示す正面図。
【図５】防護本体に凹部を形成して取手とした状態の実施例５を示す正面図。
【図６】本願第２発明に係る実施例６を示す正面図。
【図７】図６のＡ−Ａ線断面図。
【符号の説明】
【００４０】
１  防護盾
２  防護本体
３  取手
４  凶器
６  収納部
７  防護液体
【図１】
2006258412.tif 000003
【図２】
2006258412.tif 000004
【図３】
2006258412.tif 000005
【図４】
2006258412.tif 000006
【図５】
2006258412.tif 000007
【図６】
2006258412.tif 000008
【図７】
2006258412.tif 000009